(57)【要約】【課題】  各人の座席に対応させて配置した空調ユニットの運転、停止を、人の在席、離席に合わせて行うことができるパーソナル空調システムを提供すること。【解決手段】  ＢＡ―ＬＡＮとＯＡ−ＬＡＮに接続されたコントローラを具備するパーソナル空調システムにおいて、コントローラは、各パーソナルコンピュータが稼働中であると判断したとき、該パーソナルコンピュータに対応するパーソナル空調ユニットを稼動するとともに、各パーソナルコンピュータが停止中あるいは自動停止中のいずれかであると判断したとき、該パーソナルコンピュータに対応するパーソナル空調ユニットの稼動を停止することとした。【選択図】図１
2009063184.tif 000002
【特許請求の範囲】
【請求項１】
空調機からの空気を供給する空調ダクトに接続され、各個人の座席に対応させて配置された吹出口を有するパーソナル空調ユニットを備えた空調システムと、
前記空調機及び前記パーソナル空調ユニットをネットワーク結合するＢＡ―ＬＡＮと、
前記各個人の座席に配置されてＯＡ−ＬＡＮに接続され、所定時間その操作がないとき、スタンバイモードまたは休止モードとなる自動停止機能を有する複数のパーソナルコンピュータと、
前記ＢＡ―ＬＡＮと前記ＯＡ−ＬＡＮに接続されたコントローラと、
から構成されるパーソナル空調システムにおいて、
前記コントローラは、
前記各パーソナルコンピュータが稼働中であると判断したとき、該パーソナルコンピュータに対応するパーソナル空調ユニットを稼動するとともに、前記各パーソナルコンピュータが停止中あるいは自動停止中のいずれかであると判断したとき、該パーソナルコンピュータに対応するパーソナル空調ユニットの稼動を停止するものであることを特徴とするパーソナル空調システム。
【請求項２】
前記コントローラは、前記パーソナルコンピュータ及びパーソナル空調ユニットと送・受信する送・受信手段を備えるとともに、
前記パーソナルコンピュータ及び前記パーソナル空調ユニットは、前記コントローラと送・受信する送・受信手段を備えていることを特徴とする請求項１に記載されたパーソナル空調システム。
【請求項３】
前記コントローラは、前記各パーソナルコンピュータに対し所定時間毎に、該パーソナルコンピュータが稼動しているとき受信したコマンドをそのまま送信元に返信するｅｃｈｏコマンドを送信し、前記送信したｅｃｈｏコマンドに対する前記パーソナルコンピュータからの返信の有無に基づき、送信した前記パーソナルコンピュータは稼働中または停止中あるいは自動停止中のいずれかであると判断することを特徴とする請求項１乃至請求項２のいずれかに記載されたパーソナル空調システム。
【請求項４】
前記コントローラは、当該パーソナルコンピュータからの要求に応じて該パーソナルコンピュータに対しパーソナル空調に関する各種設定画面を送信し、
前記パーソナルコンピュータは、前記コントローラから受信したパーソナル空調に関する各種設定画面にて、パーソナル空調の風量、風向、連動空調の要否等に関する各種制御情報を選択設定し、該各種制御情報を前記コントローラに対し送信し、
前記コントローラは、前記パーソナルコンピュータから前記各種制御情報を受信したとき、前記パーソナルコンピュータのアドレスと前記パーソナル空調ユニットのＩＤを関連付ける関連付けテーブルを参照して、対応するパーソナル空調ユニットに対し受信した前記各種制御情報のうち風量、風向に関する制御情報について送信して、該ユニットの記憶部に前記風量、風向に関する制御情報を記憶させることを特徴とする請求項１乃至請求項３のいずれかに記載されたパーソナル空調システム。
【請求項５】
前記コントローラは、前記当該パーソナルコンピュータに対し前記ｅｃｈｏコマンドを送信し、該パーソナルコンピュータからの前記送信したechoコマンドに対する今回の返信の有無に関する情報を記憶部に保存し、
保存された今回の返信の有無に関する情報に基づいて、該パーソナルコンピュータは稼働中であるか否か判断し、
保存された前回と今回の返信の有無に関する情報を比較して、今回と前回の返信の有無に変化があるか否か判断し、
変化があるときさらに、前記コントローラの記憶部の連動設定の要否について判断し、
送信した当該パーソナルコンピュータが稼働中であり、かつ、当該稼動が停止から稼動に変化したものであり、かつ、当該パーソナル空調制御情報は連動空調要であると判断したとき、前記対応するパーソナル空調ユニットに対し運転指令を出すことにより、該パーソナル空調ユニットの記憶部に記憶された前記風量、風向に関する制御情報に基づき連動空調制御する一方、
送信した当該パーソナルコンピュータが停止中あるいは自動停止中のいずれかであり、かつ、当該停止が稼動から停止に変化したものであり、かつ、パーソナル空調制御情報は連動空調要であると判断したとき、前記対応するパーソナル空調ユニットに対し運転停止指令を出す連動空調制御を行うことを特徴とする請求項４に記載されたパーソナル空調システム。
【請求項６】
前記対応するパーソナル空調ユニットは、前記パーソナルコンピュータの切断時における前記記憶部の記憶内容を保持し、該記憶部が風量について強風を記憶しているとき所定時間経過後に、その記憶内容を強制的に初期設定値である微風に書き換えることを特徴とする請求項５に記載されたパーソナル空調システム。
【請求項７】
前記パーソナル空調ユニットは、空調機からの空気を供給する前記空調ダクトに移動自在に接続されていることを特徴とする請求項１乃至請求項６のいずれかに記載されたパーソナル空調システム。
【発明の詳細な説明】
【技術分野】
【０００１】
本発明は、パーソナル空調システム、特に各人の座席に対応させて配置した空調ユニットの運転、停止を、人の在席、離席に合わせて行うことができるパーソナル空調システムに関する。
【背景技術】
【０００２】
従来より、天井内に複数の天井埋込形空気調和機を配設したものにおいて、同一室内天井に位置する空気調和機の各空気吹出口と、同一室内の対向壁面に位置する各空気吸込口と、これら空気吹出口から吹出噴風を互いに対向・衝突する方向に所定角度で吹き出すよう各空気吹出口に設けた風向変更板と、この風向変更板を制御する風向変更板制御手段と、吹き出される風量又は風速を制御する風速制御手段とを備え、上記風向変更制御手段と風速制御手段とにより制御された吹出風により、室内の複数個に分割された各領域をそれぞれ個別に空調するようにした空気調和機が知られている。
この空気調和機は、室内を数領域に区画することにより、室内の区切られた特定の領域を他の領域の影響を受けることなく、効率的に空調できると共に、室内全体を同程度に空調する場合にも、温度分布を均一にすることができるが、各人の好みの温度に調整することはできず、快適性に欠け、また充分な省エネ効果を得られない。
【特許文献１】特許第２６７１６２１号公報
【０００３】
そこで、空調温度を各人の好みの温度に設定可能なように、室に設けられる複数の吹出口と、各吹出口にダクトを介して接続される空調機と、該空調機の出口側に配設される主風量調整装置と、前記各吹出口に配設される副風量調整装置と、室内に設けられる温度センサーおよび温熱感申告値入力用端末とを備え、室内温度および温熱感申告値データをそれぞれメンバーシップ関数でファジィ化した後、ファジィルールに基づくファジィ推論を行って各副風量調整装置の風量を設定し、各副風量調整装置の風量の総和により前記主風量調整装置の風量を設定するファジィ空調システムが開発された。
温熱感申告値入力用端末としては、個人個人の事務机上に設置され、構内交換機（デジタルＰＢＸ）に接続された各人用の電話機が利用され、電話機には、涼ボタンおよび暖ボタンが設けられていて、個人個人の好みに応じ、涼ボタンまたは暖ボタンを押すことにより温熱感申告値が入力され、このファジィ空調システムは、この入力された温熱感申告値に基づいて制御されるものである。
しかしながらこのシステムは、各人が会議等で離席したとしても、離席を感知する手段を備えていないから、吹出口から空気は吹き出たままの状態が継続され、省エネ効果が充分には得られない。
【特許文献２】特開平５−１４９６０１号公報
【０００４】
そこでさらに、ビル内に構築されているネットワークへのパーソナルコンピュータの接続数をブロック単位で計数する接続数計数手段と、この接続数計数手段によって計数されたパーソナルコンピュータの接続数から空調負荷をブロック毎に求め、この求めた空調負荷に基づいてブロック毎に空調制御を行う空調制御手段とを備えたビル管理システムが提案されている。
このビル管理システムは、ビルを区画されたブロック毎に空調するシステムであり、上述した特許文献２のように個人毎に空調するものではないが、ビル内に構築されているネットワークへのパーソナルコンピュータの接続状況からブロック毎の空調負荷を算定している。
しかしながら、パーソナルコンピュータは通常、席に戻ることを前提にした短時間の離席ではシャットダウンされないことから、在席、離席に応じてきめ細かく空調制御することはできない。
【特許文献３】特開２０００−３５２４３号公報
【発明の開示】
【発明が解決しようとする課題】
【０００５】
本発明は、これらの課題を解決するために創案されたもので、各人の席に対応して設けられたパーソナル空調ユニットの運転・停止を、一般の既存の執務環境に手を加えず、コストをかけずに、人の在席に合わせて連動制御を行うことにより、不在時に空調運転を停止させて省エネを図り、また、個人の嗜好に合わせて、パーソナル空調ユニットの運転をパーソナルコンピュータの稼動に連動した自動運転とするかしないかを個人が選択できるようにしたパーソナル空調システムを提供することを目的とするものである。
【課題を解決するための手段】
【０００６】
請求項１に係る発明は、空調機からの空気を供給する空調ダクトに接続され、各個人の座席に対応させて配置された吹出口を有するパーソナル空調ユニットを備えた空調システムと、前記空調機及び前記パーソナル空調ユニットをネットワーク結合するＢＡ―ＬＡＮと、前記各個人の座席に配置されてＯＡ−ＬＡＮに接続され、所定時間その操作がないとき、スタンバイモードまたは休止モードとなる自動停止機能を有する複数のパーソナルコンピュータと、前記ＢＡ―ＬＡＮと前記ＯＡ−ＬＡＮに接続されたコントローラと、から構成されるパーソナル空調システムにおいて、前記コントローラは、前記各パーソナルコンピュータが稼働中であると判断したとき、該パーソナルコンピュータに対応するパーソナル空調ユニットを稼動するとともに、前記各パーソナルコンピュータが停止中あるいは自動停止中のいずれかであると判断したとき、該パーソナルコンピュータに対応するパーソナル空調ユニットの稼動を停止するものとした。
【０００７】
請求項２に係る発明は、請求項１に係るパーソナル空調システムにおいて、前記コントローラは、前記パーソナルコンピュータ及びパーソナル空調ユニットと送・受信する送・受信手段を備えるとともに、前記パーソナルコンピュータ及び前記パーソナル空調ユニットは、前記コントローラと送・受信する送・受信手段を備えるものとした。
【０００８】
請求項３に係る発明は、請求項１乃至請求項２のいずれかに記載されたパーソナル空調システムにおいて、前記コントローラは、前記各パーソナルコンピュータに対し所定時間毎に、該パーソナルコンピュータが稼動しているとき受信したコマンドをそのまま送信元に返信するｅｃｈｏコマンドを送信し、前記送信したｅｃｈｏコマンドに対する前記パーソナルコンピュータからの返信の有無に基づき、送信した前記パーソナルコンピュータは稼働中または停止中あるいは自動停止中のいずれかであると判断するものとした。
【０００９】
請求項４に係る発明は、請求項１乃至請求項３のいずれかに記載されたパーソナル空調システムにおいて、前記コントローラは、当該パーソナルコンピュータからの要求に応じて該パーソナルコンピュータに対しパーソナル空調に関する各種設定画面を送信し、前記パーソナルコンピュータは、前記コントローラから受信したパーソナル空調に関する各種設定画面にて、パーソナル空調の風量、風向、連動空調の要否等に関する各種制御情報を選択設定し、該各種制御情報を前記コントローラに対し送信し、
前記コントローラは、前記パーソナルコンピュータから前記各種制御情報を受信したとき、前記パーソナルコンピュータのアドレスと前記パーソナル空調ユニットのＩＤを関連付ける関連付けテーブルを参照して、対応するパーソナル空調ユニットに対し受信した前記各種制御情報のうち風量、風向に関する制御情報について送信して、該ユニットの記憶部に前記風量、風向に関する制御情報を記憶させるものとした。
【００１０】
請求項５に係る発明は、請求項４に記載されたパーソナル空調システムにおいて、前記コントローラは、前記当該パーソナルコンピュータに対し前記ｅｃｈｏコマンドを送信し、該パーソナルコンピュータからの前記送信したechoコマンドに対する今回の返信の有無に関する情報を記憶部に保存し、保存された今回の返信の有無に関する情報に基づいて、該パーソナルコンピュータは稼働中であるか否か判断し、保存された前回と今回の返信の有無に関する情報を比較して、今回と前回の返信の有無に変化があるか否か判断し、変化があるときさらに、前記コントローラの記憶部の連動設定の要否について判断し、送信した当該パーソナルコンピュータが稼働中であり、かつ、当該稼動が停止から稼動に変化したものであり、かつ、当該パーソナル空調制御情報は連動空調要であると判断したとき、前記対応するパーソナル空調ユニットに対し運転指令を出すことにより、該パーソナル空調ユニットの記憶部に記憶され前記各種制御情報に基づき連動空調制御する一方、送信した当該パーソナルコンピュータが停止中あるいは自動停止中のいずれかであり、かつ、当該停止が稼動から停止に変化したものであり、かつ、パーソナル空調制御情報は連動空調要であると判断したとき、前記対応するパーソナル空調ユニットに対し運転停止指令を出す連動空調制御を行うものとした。
【００１１】
請求項６に係る発明は、請求項５に記載されたパーソナル空調システムにおいて、前記対応するパーソナル空調ユニットは、前記パーソナルコンピュータの切断時における前記記憶部の記憶内容を保持し、該記憶部が風量について強風を記憶しているとき所定時間経過後に、その記憶内容を強制的に初期設定値である微風に書き換えるものとした。
【００１２】
請求項７に係る発明は、請求項１乃至請求項６のいずれかに記載されたパーソナル空調システムにおいて、前記パーソナル空調ユニットは、空調機からの空気を供給する前記空調ダクトに移動自在に接続されるものとした。
【発明の効果】
【００１３】
請求項１、２に係る発明によれば、パーソナル空調システムを、空調機からの空気を供給する空調ダクトに接続され、各個人の座席に対応させて配置された吹出口を有するパーソナル空調ユニットを備えた空調システムと、前記空調機及び前記パーソナル空調ユニットをネットワーク結合するＢＡ―ＬＡＮと、前記各個人の座席に配置されてＯＡ−ＬＡＮに接続され、所定時間前記パーソナルコンピュータの操作がないとき、スタンバイモードまたは休止モードとなる自動停止機能を有する複数のパーソナルコンピュータと、前記ＢＡ―ＬＡＮと前記ＯＡ―ＬＡＮに接続されたコントローラと、から構成したので、当然に備えるべき、あるいは備えているＢＡ―ＬＡＮとＯＡ―ＬＡＮを最大限活用して、新規にコントローラとパーソナル空調ユニットを設備するだけで済むので、一般の既存の執務環境に手を加えず、ローコストに本システムを構築することができる。
また、前記コントローラは、前記各パーソナルコンピュータが稼働中であると判断したとき、該パーソナルコンピュータに対応するパーソナル空調ユニットを稼動するとともに、前記各パーソナルコンピュータが停止中及び自動停止中であると判断したとき、該パーソナルコンピュータに対応するパーソナル空調ユニットの稼動を停止するものとしたので、会議等所要により離席するとパーソナルコンピュータの作動は自動停止し、従来運転が継続されていた時間空調の稼動が自動停止されるから、空調運転をきめ細かく制御して、職場環境を快適に保ちつつ効果的な省エネを実現することができる。
【００１４】
請求項３に係る発明によれば、コントローラは、通常ネットワークに接続可能なパーソナルコンピュータが備えているｅｃｈｏコマンドに対するパーソナルコンピュータからの返信の有無に基づき、送信したパーソナルコンピュータは稼働中または停止中あるいは自動停止中のいずれかであると判断するものとしたので、ローコストにネットワークを構築することができる。
【００１５】
請求項４に係る発明によれば、前記コントローラは、当該パーソナルコンピュータからの要求に応じて該パーソナルコンピュータに対しパーソナル空調に関する各種設定画面を送信し、前記パーソナルコンピュータは、前記コントローラから受信したパーソナル空調に関する各種設定画面にて、パーソナル空調の風量、風向、連動空調の要否等に関する各種制御情報を選択設定し、該各種制御情報を前記コントローラに対し送信するものとしたので、コントローラにＷｅｂサーバー１１を備えるだけで入力設定可能となり、システム導入の設備投資を抑制でき、各個人は、各パーソナルコンピュータから、風量、風向、連動空調の要否等を設定可能であるので、個人の空調に対する嗜好を反映することが可能である。
【００１６】
請求項５に係る発明によれば、前記コントローラは、ｅｃｈｏコマンドに対する今回の返信の有無に関する情報を記憶部に保存し、最下位と一つ上の位の返信の履歴をみて今回と前回の返信の有無に変化があるときのみ運転指令または運転停止指令を出すので、システム構成を簡易なものとでき、パーソナル空調ユニットを安定して運転することができる。
請求項６に係る発明によれば、前記対応するパーソナル空調ユニットは、前記パーソナルコンピュータの切断時における前記記憶部の記憶内容を保持し、該記憶部が風量について強風を記憶しているとき所定時間経過後に、その記憶内容を強制的に初期設定値である微風に書き換えるので、各個人がほぼ満足な空調効果を得られる時間帯に自動的に風量を微風に切り換えて、きめ細かく省エネを図ることが可能となる。
【００１７】
請求項７に係る発明によれば、前記パーソナル空調ユニットは、空調機からの空気を供給する前記空調ダクトに移動自在に接続されているので、レイアウト変更等に柔軟に対応し、快適な職場環境を実現しつつ効果的な省エネを追求することができる。
【発明を実施するための最良の形態】
【００１８】
コントローラが、送信した当該パーソナルコンピュータが稼働中であり、かつ、当該稼動が停止から稼動に変化したものであり、かつ、当該パーソナル空調制御情報は連動空調要であると判断したとき、前記対応するパーソナル空調ユニットに対し運転指令を出力することにより、該パーソナル空調ユニットの記憶部に記憶された各種制御情報に基づきＰＣ連動空調制御する。
また、コントローラが、送信した当該パーソナルコンピュータが停止中あるいは自動停止中のいずれかであり、かつ、当該停止が稼動から停止に変化したものであり、かつ、パーソナル空調制御情報は連動空調要であると判断したとき、前記対応するパーソナル空調ユニットに対し運転停止指令を出力するＰＣ連動空調制御を行う。
さらに、コントローラが、送信した当該パーソナルコンピュータのパーソナル空調制御情報は連動空調否であると判断したとき、ＰＣの稼動と連動した空調制御を行うことなく、該パーソナル空調ユニットの記憶部に記憶された制御情報に基づき、ＰＣとは独立した空調制御をする。
【実施例】
【００１９】
以下、本発明に係るパーソナル空調システムの実施の形態を図面に基づいて詳しく説明する。  図１は、本発明のパーソナル空調システムの構成を概略的に示すシステム構成概略図である。図２は、本システムの入力画面を示す図である。図３は、本システムの空調制御フローを示す図である。図４は、本システムのパーソナルコンピュータと連動制御されているときの作動を示す図である。
【００２０】
先ず、図１に基づいて本システムの構成の概略について説明する。
本パーソナル空調システムは、空調機２１と、空調機２１からの空気を供給する空調ダクト２２と、空調ダクト２２に各個人の座席にきめ細かく対応させるべく、移動自在に接続された複数のパーソナル空調ユニット２３と、これらを制御するコントローラ１とを具備している。
コントローラ１は、Ｗｅｂサーバー１１と関連付けテーブル１４と送・受信器を備え、各個人の座席に配置された各パーソナルコンピュータ３１、３１・・・・・（以下「ＰＣ３１」という。）の稼動を管理するＰＣ稼動管理機能と、各個人の座席に対応させて配置された吹出口を有するパーソナル空調ユニット２３の運転をＰＣ３１の稼動に連動させて制御するユニット連動制御機能を有している。
このためコントローラ１は、空調機２１、及び空調ダクト２２に移動自在に接続されるとともに送・受信器を備えた複数のパーソナル空調ユニット２３と、ＢＡ―ＬＡＮ２にて結合され、また、複数のＰＣ３１とＯＡ―ＬＡＮ３にて結合されている。
【００２１】
上記のＰＣ３１は、通常の送・受信器を備えており、各個人は出社時席に着いたとき前記ＰＣ３１を起動させ、帰社時ＰＣを停止させるものであるが、所定時間その操作がされないときは、スタンバイモードまたは休止モードとなる自動停止機能を有している。
図２は、ＰＣ３１のディスプレイに表示される各種空調制御情報を入力するための入力画面である。
全体的な画面は座席等のレイアウトを示しており、その右上には上から順に、運転、風量、風向、ＰＣ連動の各項目を選択入力するための選択ボタンが配された入力画面が表示されている。
【００２２】
本実施例では各個人は、このＰＣの入力画面上で、運転についてＯＮ、ＯＦＦの選択設定、風量について微風、弱風、強風の選択設定、風向についてスライダーバー選択設定、ＰＣ３１の稼動と対応するユニットの稼動を連動させるか否かを設定するＰＣ連動についての要否の選択を設定するようにしている。そして、選択設定された各種空調制御情報は、コントローラ１に対して送信される。
この画面は、コントローラ１が所定時間毎に各ＰＣ３１を順次特定し、当該ＰＣ３１からの要求に応じて該ＰＣ３１に対しパーソナル空調に関する各種設定画面を送信することによりＰＣディスプレイ上に表示されるものである。
この要求は例えば、ＯＡ−ＬＡＮ経由でコントローラ１のＷｅｂサーバー１１に対して出力することができ、この入力画面を表示するＷｅｂサイトにアクセスして、各ＰＣ３１のディスプレイに表示することができる。このようにすると、既に開発済みのシステムの流用であるので、システム構築のコストを低減できる。
【００２３】
コントローラ１は、ＰＣ３１から前記の各種制御情報を受信したとき、ＰＣ３１のアドレスとパーソナル空調ユニット２３（以下「ユニット」という。）のＩＤを関連付ける関連付けテーブル１４を参照して、対応するユニット２３に対し受信した各種制御情報を送信し、当該ユニット２３は、その記憶部にこの各種制御情報を記憶させる。
ユニット２３の記憶部に記憶された各種制御情報は、ユニット２３を空調制御するための基本的なものである。そして対応するＰＣ３１から再設定される度に書き換えられるものである。
また、上記のユニット２３は、ＰＣ３１の切断時における記憶部の記憶内容を保持し、該記憶部が風量について強風を記憶しているときは、コントローラ１は、所定時間、例えば２０分経過後に、その記憶内容を強制的に初期設定値である微風に書き換えるようにすることもできる。このようにすれば、各個人がほぼ満足な空調効果を得られる時間帯になったとき、自動的に風量を微風に切り換えて、きめ細かく省エネを図ることが可能となる。
このとき個人が、微風では空調不十分と感じるのであれば、再度風量等について設定し直せばよい。
【００２４】
次いで、コントローラ１は、当該ＰＣ３１に対し、ＰＣが稼動しているとき受信したコマンドをそのまま送信元に返信するｅｃｈｏコマンドを送信し、該ＰＣ３１からの前記送信したｅｃｈｏコマンドに対する今回の返信の有無に関する情報を記憶部に保存する。
コントローラ１は、保存された今回の返信の有無に関する情報に基づいて、該パーソナルコンピュータは稼働中であるか否か判断することができる。
今回の返信の有無に関する情報は、対応するＰＣ３１が現在稼働中であるか、現在停止中であるか、あるいは、スタンバイモードまたは休止モードの自動停止中であるか否かを判断する上で重要なものである。
【００２５】
今回返信があった場合でも、前回返信がなくて今回返信があったのか、前回も今回も返信があったのかということと、当該ＰＣ３１が連動制御を選択設定しているかどうかということは、ＰＣ連動空調制御する上で重要な条件である。
そこで本実施例は、コントローラ１は、記憶部に記憶された前回と今回の返信の有無に関する情報を比較して、今回と前回の返信の有無に変化があるか否か判断し、変化があるときさらに、記憶部の設定内容の連動設定の要否について判断することとしている。
【００２６】
このようにして、コントローラ１が、送信した当該ＰＣ３１が稼働中であり、かつ、当該稼動が停止から稼動に変化したものであり、かつ、当該パーソナル空調制御情報は連動空調要であると判断したときは、コントローラ１は、対応するユニット２３に対し運転指令を出力する。
ユニット２３は、これを受けてその記憶部に記憶された各種空調制御情報に基づいて、ＰＣ３１の稼働状況と連動した空調制御をする。
【００２７】
また、コントローラ１が、送信した当該ＰＣ３１が停止中あるいは自動停止中のいずれかであり、かつ、当該停止が稼動から停止に変化したものであり、かつ、パーソナル空調制御情報は連動空調要であると判断したとき、対応するユニット２３に対し運転停止指令を出力し、ユニット２３の運転を停止するＰＣ連動空調制御を行う。
【００２８】
本システムのＰＣ３１の稼動と連動して連動制御されているときの作動を示す図４を参照して、各個人に対応するＰＣ３１が稼動されると、ユニット２３らかの吹き出しがＯＮとなり、ＰＣ３１が切断されて停止されたとき、または、スタンバイモードあるいは休止モードである自動停止になったとき、ユニット２３の吹き出しが確実にＯＦＦとなり、空調制御がきめ細かく緻密に実行されている。
この例では、昼休み時間、１５時２０分から５０分間、１８時０５分から３時間２５分の在席していない間、ＰＣ３１の稼動に連動して確実に空調を停止し、大幅な省エネを実現している状況が理解できる。
以上みたように、会議等所要により所定時間離席するとＰＣ３１の作動は自動停止され、従来運転が継続されていた時間、ユニット２３からの空調空気の吹き出しが自動停止されるから、空調機器の運転をきめ細かく制御して、職場環境を快適に保ちつつ効果的な省エネを実現することができるようになる。
【００２９】
春夏秋冬各季節において、各個人が空調を好まないときがある。
また、ＰＣ３１が稼動しているにも拘らず、空調をＯＦＦにしたいことがある。逆に、ＰＣ３１が稼動していないときでも、空調を継続してＯＮにしたいこともある。
これらのことからみると、各個人が独自に手動で空調を制御することが望ましい。
このため本実施例では、上記のＰＣ連動制御設定に限定しないで、ＰＣ連動制御をしないという設定も可能としている。
そして、コントローラ１が、送信した当該ＰＣ３１のパーソナル空調制御情報は連動空調否であると判断したときは、ＰＣの稼動と連動した空調制御を行うことなく、該コントローラの記憶部に記憶された、個人が個別的に設定した制御情報とシステムが標準的に設定した標準制御情報とに基づき、ＰＣの稼動とは無関係の独立した空調制御をする。
【００３０】
図３に基づいて、本システムのコントローラ１の空調制御フローについて詳細に説明する。
図３のメインルーチンは、定期的、例えば５ｍｓ毎、に発生する内部タイマ割込による割込処理において実行される。したがって、後述する設定処理サブルーチン又は非連動運転サブルーチンの実行中に、上記メインルーチンの割り込みが生じたときは、スタックポインタの指定アドレスをセットするためのスタックセット処理が行われる。
コントローラ１は、ステップ１においてｎ＝１と置数して、ＰＣ３１を特定する。
【００３１】
図示を省略する設定処理サブルーチンでは、コントローラ１は、ＰＣ３１から入力された上記の各種制御情報を受信すると、特定したＰＣ３１のアドレスとユニット２３のＩＤを関連付ける関連付けテーブル１４を参照する。そして、対応するユニット２３に対し受信した各種制御情報のうち風量、風向に関する情報を送信する。当該ユニット２３は、受信した制御情報をその記憶部に記憶する。
【００３２】
ステップ３において、送信したｅｃｈｏコマンドに対する返信があったか否か判断し、返信があったときは、特定したＰＣは稼働中であると判断し、コントローラ１の記憶部に返信ありを保存する（ステップ４）一方、返信がなかったときは、特定したＰＣは停止中または自動停止中であると判断し、記憶部に返信なしを保存（ステップ９）する。
いずれの場合であっても次のステップ５、１０において、停止から稼動に変化したか、あるいは、稼動から停止に変化したかについて判断する。
【００３３】
この変化の判断については既に段落００１６で述べたように、コントローラ１の記憶部に保存された返信の有無に関する前回データと今回データを比較することにより行われ、両者が異なる場合は、今回と前回の返信の有無に変化があると判断し、逆に両者が同一である場合は、変化がないと判断する
ステップ５とステップ１０において、変化がないと判断されたときは、ＯＮ、ＯＦＦいずれにしてもその運転状態を継続する。
【００３４】
ステップ５において当該稼動が停止から稼動に変化したものであり、かつ、ステップ６において当該パーソナル空調制御情報は連動空調要であると判断されたときは、対応するユニット２３に対し運転指令を出力し、該ユニット２３の記憶部に記憶された制御情報に基づいて、ＰＣ連動空調制御をする（ステップ７）。
一方、ステップ１０において当該停止が稼動から停止に変化したものであり、かつ、次のステップでパーソナル空調制御情報は連動空調要であると判断されたときは、対応するユニット２３に対し運転停止指令を出力して空調運転を停止する。
【００３５】
他方、ステップ６とステップ１１において、ＰＣ連動運転が設定されていないときは、ＰＣに連動しない非連動運転サブルーチン（ステップ８）が実行される。
このサブルーチンは、風向と風量については、ユニット２３毎の設定値にしたがい、他の項目については、ＰＣ３１が稼働中であるか、停止中あるいは自動停止中であるかに拘らず、本パーソナル空調システムが標準設定する設定値にしたがって制御される（ステップ８）。
【００３６】
ステップ１３において、次に特定すべきＰＣ３１があるときは、ステップ１８においてｎの値を１インクリメントして次のＰＣ３１を特定し、上記の各ステップを繰り返し実行する。
次に特定すべきＰＣ３１がなくなったら処理を終了する。
【図面の簡単な説明】
【００３７】
【図１】本発明のパーソナル空調システムの構成を概略的に示すシステム構成概略図である。
【図２】本システムの入力画面を示す図である。
【図３】本システムの空調制御フローを示す図である。
【図４】本システムのパーソナルコンピュータと連動制御されているときの作動を示す図である。
【符号の説明】
【００３８】
１    コントローラ
１１    Ｗｅｂサーバー
１４    関連付けテーブル
２    ＢＡ―ＬＡＮ
２１    空調機
２２    空調ダクト
２３    パーソナル空調ユニット
３    ＯＡ―ＬＡＮ
３１    パーソナルコンピュータ
【図１】
2009063184.tif 000003
【図３】
2009063184.tif 000004
【図４】
2009063184.tif 000005
【図２】
2009063184.tif 000006